(57)【要約】【課題】筐体のカバー部材と押しボタンを保持するシート部との間に侵入した水や塵埃などを、効率的に外部に排出できる筐体の防排水構造、及び電子機器の提供を課題とする。【解決手段】表面に複数の押しボタン１６を有する下筐体１１の防排水構造である。上記表面を形成し、且つ複数のボタン孔１４ａが設けられたカバー部材１４と、上記複数の押しボタン１６、及び複数の押しボタン１６を所定の位置に保持するシート部１７を有する。シート部１７が、カバー部材１４の裏面１４ｂに沿って配置されると共に、シート部１７の外周部がカバー部材１４に密着され、押しボタン１６がカバー部材１４のボタン孔１４ｃに挿入されたボタンユニット１５とを備えている。シート部１７には、押しボタン１６に対向し、且つ押しボタン１６の最大外周内の面積より広い水路部を有する溝状の排水路２２が設けられている。【選択図】図２
2007066746.tif 000002
【特許請求の範囲】
【請求項１】
表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシート部を有し、前記シート部が前記カバー部材の裏面に沿って配置されると共に、前記シート部の外周部が前記カバー部材に密着され、前記押しボタンが前記カバー部材の前記ボタン孔に挿入されたボタンユニットとを備え、
前記シート部には、前記複数の押しボタンのそれぞれに対向し、且つ前記押しボタンの最大外周より広い水路部を有する溝状の排水路が設けられていることを特徴とする筐体の防排水構造。
【請求項２】
前記排水路は、前記複数の押しボタンにそれぞれ対向し、且つ前記押しボタンの最大外周内の面積より広い拡大水路部と、これらの拡大水路部を接続する接続水路部とを有し、前記拡大水路部と前記接続水路部とを結ぶ経路が一筆書きとなるように形成されていることを特徴とする請求項１に記載の筐体の防排水構造。
【請求項３】
前記溝状の排水路は、前記シート部上に突出する突起によって形成されていることを特徴とする請求項１又は２に記載の筐体の防排水構造。
【請求項４】
前記シート部には、前記排水路から出た水を排出する排水孔が設けられ、前記排水孔には開閉自在な蓋が設けられていることを特徴とする請求項１から３の何れかに記載の筐体の防排水構造。
【請求項５】
前記排水路には、撥水処理が施されていることを特徴とする請求項１から４の何れかに記載の筐体の防排水構造。
【請求項６】
前記排水路を振動させる振動手段を有することを特徴とする請求項１から５の何れかに記載の筐体の防排水構造。
【請求項７】
前記排水孔に接続されたタンクを有していることを特徴とする請求項１から６の何れかに記載の筐体の防排水構造。
【請求項８】
表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシート部を有し、前記シート部が前記カバー部材の裏面に沿って配置されると共に、前記シート部の外周部が前記カバー部材に密着され、前記押しボタンが前記カバー部材の前記ボタン孔に挿入されるボタンユニットとを備え、
前記シート部には、前記複数の押しボタンにそれぞれ対向し、且つ前記押しボタンの最大外周内の面積より広い水路部を有する溝状の排水路が設けられていることを特徴とする電子機器。
【請求項９】
前記筐体内に設けられた発熱部材を有し、前記排水路の壁部分が前記発熱部材に当接していることを特徴とする請求項８に記載の電子機器。
【請求項１０】
前記筐体内に設けられた発熱部材と、前記排水路から排出された水を貯めるタンクとを有し、前記タンクが前記発熱部材に当接していることを特徴とする請求項８に記載の電子機器。
【発明の詳細な説明】
【技術分野】
【０００１】
本発明は、ノート型パソコン、携帯電話機、トランシーバ、電動リール、台所の水回り品、玄関のチャイムなど、押しボタンを有する電子機器などに好適な筐体の防排水構造、及びこれを用いた電子機器に関する。
【背景技術】
【０００２】
近年、携帯電話機やパソコンなどのＩＴ（Information Technology)関連の電子機器に
は、様々な機能が要求されている。その中でもユーザの要求が多いものの一つに、電子機器における押しボタン周囲の防水機能がある。
【０００３】
従来、電子機器の押しボタン周囲の防水技術は、各種提案されている。例えば、電子機器における筐体の裏面に貼り付けられるシート部と、このシート部に設けられた複数の押しボタンを保持するキーパッドにおいて、全ての押しボタンを包囲する外郭部と、この外郭部に設けられた排水溝を有する防水機器用キーパッドが提案されている（例えば、特許文献１参照。）。
【０００４】
また、携帯電話の筐体に、内部に侵入した水などを排出するための排出用穴を設けた技術が提案されている（例えば、特許文献２参照。）。
【０００５】
また、キーボタンとシートと接点とを有する携帯電話機であって、キーボタン及びシートからなる外観部と、シートと接点とからなる機能部とに分割し、外観部と機能部とを、それぞれ別々に筐体の外側及び内側から密封する防水技術が提案されている（例えば、特許文献３参照）。
【特許文献１】特開平８−１８０７６０号公報
【特許文献２】特開２０００−３０７６９７号公報
【特許文献３】特開２００１−１４８７２６号公報
【発明の開示】
【発明が解決しようとする課題】
【０００６】
しかしながら、従来の筐体の防水技術では、筐体と押しボタンを保持するシート部との間に侵入した水や塵埃などがシート部の広い範囲に分散して付着するため、これらの水や塵埃などを外部に排出するのが困難であった。
【０００７】
水や塵埃などが、筐体とシート部との間に残留しても、内部の電子機器に悪影響を与えることは殆どない。しかし、内部に残留した水によって発生するカビや、塵埃などによって押しボタンのストロークが阻害され、押しボタンの操作性が悪くなるおそれがある。
【０００８】
本発明は、このような問題に鑑みなされたもので、筐体のカバー部材と押しボタンを保持するシート部との間に侵入した水や塵埃などを、効率的に外部に排出できる筐体の防排水構造、及び電子機器の提供を課題とする。
【課題を解決するための手段】
【０００９】
本発明は、前記課題を解決するため、以下の手段を採用した。
（１）本発明は、
表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシート部を
有し、前記シート部が前記カバー部材の裏面に沿って配置されると共に、前記シート部の外周部が前記カバー部材に密着され、前記押しボタンが前記カバー部材の前記ボタン孔に挿入されたボタンユニットとを備え、
前記シート部には、前記服すの押しボタンにそれぞれ対向し、且つ前記押しボタンの最大外周内の面積より広い水路部を有する溝状の排水路が設けられていることを特徴とする。
【００１０】
本発明では、押しボタンとカバー部材のボタン孔との隙間から、カバー部材とボタンユニットのシート部との間に侵入した水や塵埃などが、シート部に設けられた溝状の排水路に集められる。これにより、水や塵埃などが排水路を通って流れやすくなる。
【００１１】
従って、押しボタンとボタン孔との隙間からカバー部材とボタンユニットのシート部との間に侵入した水や塵埃などを、効率的に外部に排出できる。これによって、水によって発生したカビや、塵埃などによって押しボタンのストロークが阻害されるのを防止できるので、押しボタンの操作性が悪くなるのを防止できる。
【００１２】
（２）前記排水路は、前記複数の押しボタンにそれぞれ対向し、且つ前記押しボタンの最大外周内の面積より広い拡大水路部と、これらの拡大水路部を接続する接続水路部とを有し、前記拡大水路部と前記接続水路部とを結ぶ経路が、一筆書きとなるように形成できる。
【００１３】
この場合は、排水路の途中に行き止まりとなるところがないので、排水路内の水や塵埃などがを更に効率よく外部に排出できる。
【００１４】
（３）前記溝状の排水路は、前記シート部上に突出する紐状の突起によって形成できる。この場合は、排水路を簡単に形成できる。なお、排水路は、シート部に凹状の溝を設けることによって形成することもできる。
【００１５】
（４）前記シート部には、前記排水路から出た水を外部に排出する排水孔が設けられ、前記排水孔には開閉自在な蓋が設けられているのが好ましい。
【００１６】
この場合は、排水路内の水や塵埃などを排水孔から排出するときだけ蓋を開け、水や塵埃などを排出するとき以外は、排水孔を閉じることにより、排水孔から排水路内に水や塵埃などが侵入するのを防止できる。
【００１７】
（５）前記排水路には、撥水処理が施されているのが好ましい。撥水処理としては、テフロン（登録商標）やフッ素樹脂のコーティング、ワックス系など各種撥水剤の塗布などを例示できる。この場合は、排水路内の水が撥水処理によって弾かれて排水路内を流れやすくなるので、更に効率的に水などを外部に排出できる。
【００１８】
（６）前記排水路を振動させる振動手段を有するのが好ましい。この場合は、排水路内の水や塵埃などを振動させて強制的に流すことができる。
【００１９】
（７）前記排水孔に接続されたタンクを有しているのが望ましい。この場合は、排水路から排出され水が排水孔を経てタンクに集められるので、排水孔から排出された水などによって周囲のものが濡れたり汚れたりするのを防止できる。
【００２０】
（８）本発明は、
表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシート部を有し、前記シート部が前記カバー部材の裏面に沿って配置されると共に、前記シート部の外周部が前記カバー部材に密着され、前記押しボタンが前記カバー部材の前記ボタン孔に挿入されるボタンユニットとを備え、
前記シート部には、前記複数の押しボタンにそれぞれ対向し、且つ前記押しボタンの最大外周内の面積より広い水路部を有する溝状の排水路が設けられていることを特徴とする。
【００２１】
本発明では、電子機器の筐体に設けられた押しボタンとボタン孔との隙間から内部に侵入した水や塵埃などをを効率的に排出できる。
【００２２】
（９）前記筐体内に設けられた発熱部材を有し、前記排水路の壁部分が前記発熱部材に当接していることを特徴とする。
【００２３】
この場合は、排水路の壁部分が発熱部に当接しているので、排水路内を流れる水で発熱部材を冷却できる。
【００２４】
（１０）前記筐体内に設けられた発熱部材と、前記排水路から排出された水を貯めるタンクとを有し、前記タンクが前記発熱部材に当接していることを特徴とする。この場合は、タンクによって発熱部材を冷却できる。
【発明の効果】
【００２５】
以上説明したように、本発明によれば、押しボタンとカバー部材のボタン孔との隙間から内部に侵入した水や塵埃などを、各押しボタンと対向する水路部を有する排水路に集めて、効率的に外部に排出できる。
【００２６】
従って、カバー部材とボタンユニットとの間に侵入した水によって発生したカビや、塵埃などによって押しボタンのストロークが阻害されるのを防止できるので、押しボタンの操作性が悪くなるのを防止できる。
【発明を実施するための最良の形態】
【００２７】
《第１実施形態》
図１は、本発明に係る第１実施形態の電子機器である携帯電話機１を示す。この携帯電話機１は、ほぼ長方形で扁平状の下筐体１１及び上筐体１２を有している。これらの下筐体１１及び上筐体１２は、その長辺側の片端部がヒンジ１３によって開閉自在に連結されている。
【００２８】
なお、図１は、下筐体１１におけるカバー部材１４の上面部分１４ａ（図２（ａ）参照）が取り除かれ、ボタンユニット１５が露出された状態を示している。
【００２９】
下筐体１１の内部には、振動部材であるバイブレータ２０が設けられている。このバイブレータ２０は、ボタンユニット１５のシート部１７における排水路２２の底壁部２２ｂ（図２（ｂ）参照）に接触している。
【００３０】
また、この下筐体１１の内部には、通常の携帯電話機と同様な回路基板及び電子部品などが設けられている。なお、これらの回路基板及び電子部品は、一般的なものを使用できるので、その詳細な説明を省略する。
【００３１】
上記下筐体１１は、図２（ａ）に示すように、その外表面を形成する箱状のカバー部材１４と、このカバー部材１４における上面部分１４ａの裏面１４ｂに沿って配置されたボ
タンユニット１５とを有している。
【００３２】
なお、図２（ａ）中の符号４０は基板、４１は回路、４２は導電性を有するドーム状の金属シート、４３はカバー部材１４における上面部分１４ａから内側に突出する支持部である。
【００３３】
支持部４３は、ボタンユニット１５における押しボタン１６の側端部に離間自在に当接している。押しボタン１６が押されると、押しボタン１６の側端部と支持部４３との間に隙間が発生する。
【００３４】
上記排水路２２の内面には、図２（ｂ）に示すように、撥水処理２２ａが施されている。撥水処理としては、テフロン（登録商標）やフッ素樹脂のコーティング、ワックス系など各種撥水剤の塗布などを例示できる。
【００３５】
上記ボタンユニット１５は、図３に示すように、所定の位置に配置された複数の押しボタン１６と、これらの押しボタン１６を保持する略長方形のシート部１７とを有している。このシート部１７はゴムで形成されている。
【００３６】
また、シート部１７の形状及び大きさは、下筐体１１の形状及び大きさに応じて設定される。押しボタン１６は、シート部１７上に載置されている。
【００３７】
図２（ａ）に示すように、ボタンユニット１５の押しボタン１６が押されると、ドーム状の金属シート４２が弾性変形して回路４１に電気的に接触する。これにより、押しボタン１６に応じた動作が行われる。
【００３８】
図４は、シート部１７上の押しボタン１６を除いた状態を示す。このシート部１７には、シート部１７のボタン載置面上に突出する細長い突起２１によって囲まれた排水路２２が設けられている。
【００３９】
この排水路２２は、複数の押しボタン１６にそれぞれ対向し、且つ押しボタン１６の最大外周内の面積より少し広い水路面積を有する略長円形又は扇形の拡大水路部２３と、これらの複数の拡大水路部２３を接続する幅の狭い接続水路部２４を有している。
【００４０】
すなわち、拡大水路部２３は、押しボタン１６の最大外周を更に拡げた位置に押しボタン１６を取り囲む延提状の突起２１によって形成されている。拡大水路部２３の中心には、押しボタン１６を載せる突起２５が設けられている。
【００４１】
本例では、図５及び図６中に矢印で示すように、上記排水路２２に含まれる全ての拡大水路部２３及び接続水路部２４を結ぶ経路が、一筆書きとなるように形成されている。すなわち、図６に示すように、排水路２２の全ての拡大水路部２３及び接続水路部２４を結ぶ経路が、一本の線Ｓとなるように連続して接続されている。
【００４２】
本例では、シート部１７の短辺１７ａに沿って３個の拡大水路部２３が一列ｎ１に配置されている。また、この３個の拡大水路部２３からなる列ｎ１，ｎ２・・・が複数段に亘って設けられている。
【００４３】
なお、各列ｎ１，ｎ２・・・における拡大水路部２３の形状は、押しボタン１６の外周縁１６ａ（図２（ａ）参照）の形状と相似である。
【００４４】
更に、図６中で上下の関係を有する２つの列ｎ１及びｎ２、ｎ２及びｎ３・・・におけ
る一方の端とその反対の端における拡大水路部２３，２３が、交互に接続されている。
【００４５】
例えば１段目と２段目の列ｎ１及びｎ２における左端の拡大水路部２３，２３が接続された場合は、２段目と３段目の列ｎ２及びｎ３における右端の拡大水路部２３，２３が接続される。
【００４６】
また、３段目と４段目の列ｎ３及びｎ４における左端の拡大水路部２３，２３が接続される。以下、同様にして、全ての段の拡大水路部２３が一本の線Ｓで繋がるように接続されている。
【００４７】
図７は、シート部１７の排水路２２における拡大水路部２３内に、押しボタン１６を配置した状態を示す上面図である。上記排水路２２の拡大水路部２３は、図２（ａ）にも示すように、押しボタン１６の最大外周である外周縁１６ａより少し外側に拡がっている。
【００４８】
従って、図２（ａ）に示すように、押しボタン１６の外周縁１６ａとカバー部材１４のボタン孔１４ｃとの隙間から侵入した水や塵埃などは、排水路２２の拡大水路部２３内に落下する。
【００４９】
また、図７に示すように、排水路２２の一方の端部（図７中の下端部）に設けられた拡大水路部２３ａには、シート部１７の外側に向けて開口された水路出口２６が設けられている。
【００５０】
図８は、下筐体１１に設けられたボタンユニット１５における上面図である。このボタンユニット１５におけるシート部１７上には、その外周１７ｂに沿って細長いゴムパッキン２８が設けられている。このゴムパッキン２８によって、全ての押しボタン１６が包囲されている。これにより、排水路２２の外側に進入した水や塵埃などがゴムパッキン２８より外側に漏れるのを防止できる。
【００５１】
また、シート部１７に設けられた排水路２２の水路出口２６は、ゴムパッキン２８で囲まれた範囲内に開口されている。
【００５２】
このゴムパッキン２８によって囲まれた範囲は、下筐体１１の一端部側（図８中の下端部側）で絞られている。この絞られた部分２８ａにおけるシート部１７には、排水孔２９が設けられている。この排水孔２９は、下筐体１１のカバー部材１４などを取り付けるネジ孔用のボスの一部に設けることができる。また、排水孔２９は、適宜な位置に設けることができる。
【００５３】
この排水孔２９は、図９に示すように、下筐体１１の側方における厚肉部分３０を貫通して、下筐体１１の底面３１まで達している。排水孔２９には、蓋２９ａが開閉自在に設けられている。排水孔２９の中間部には、下筐体１１の内部に着脱自在に設けられた貯水タンク３３が接続されている。なお、図９中の符号３２は、バッテリカバーである。
【００５４】
排水路２２の水路出口２６から排出された水などは、シート部１７上におけるゴムパッキン２８の内側を流れて排水孔２９から排出される。排水口２９から排出された水などは、貯水タンク３３に貯められる。
【００５５】
この貯水タンク３３は、図１０に示すように、弾性を有する材料によって筒状に形成されている。
【００５６】
なお、弾性を有する材料としては、ポリエステルエラストマ、ポリオレフィンエラスト
マ、ポリクロロプレン、塩素系ポリエチレン、フッ素ゴム、ＥＰＤＭ（エチレンプロピレンゴム）、ＳＢＲ（スチレンブタジエンゴム）、ＮＢＲ（アクリロニトリルブタジエンゴム）などを例示できる。
【００５７】
また、薄肉形状にすることによって、弾性を確保できる材料として熱可塑性樹脂がある。この熱可塑製樹脂としては、ＡＢＳ(アクリルニトリル・ブタジエンスチレン樹脂）、
ＰＣ（ポリカーボネート樹脂）、ＰＣ−ＡＢＳ（ポリカーボネート／アクリルニトリル・ブタジエンスチレン樹脂）、ＰＡ（ポリアミド樹脂）、ＰＯＭ（ポリオキシメチレン樹脂）、ＰＰＳ（ポリフェニレンサルファイド樹脂）、ＰＥ（ポリエチレン樹脂）、ＰＥＴ（ポリエチレンテレフタレート樹脂）、などを例示できる。
【００５８】
この貯水タンク３３の両端には、排水孔２９が接続される入口３３ａ及び出口３３ｂが設けられている。入口３３ａは、ボタンユニット１５側に配置され、出口３３ｂは下筐体１１の底面３１側に配置されている。
【００５９】
この貯水タンク３３の入口３３ａ側には、逆支弁３５が設けられている。これにより、貯水タンク３３内の水などがボタンユニット１５側に逆流するのを防止できる。
【００６０】
また、貯水タンク３３の出口３３ｂ側には、防水シート３６及び逆止弁３７が設けられている。防水シート３６は、水を通さず空気のみ通す材料で形成されている。
【００６１】
この貯水タンク３３は、外部から所定の押圧力Ｆが加えられると弾性変形し、内部の空気４５が圧縮される。この空気４５の圧力によって、逆止弁３７が開けられ、内部の空気４５が出口３３ｂから排出される。
【００６２】
このときには、防水シート３６によって、貯水タンク３３内の水が排出されるのを防止できる。つまり、貯水タンク３３内の水や塵埃などは、強制的に排出しない限り、徐々に増えていく。
【００６３】
また、図１１に示すように、貯水タンク３３から上記所定の押圧力Ｆが取り除かれると、貯水タンク３３が弾性復元して内部の空気圧が低下する。そうすると、貯水タンクの入口３３ａに接続されている排水孔２９から、排水路２２内の水や塵埃などが、貯水タンク３３内に強制的に吸引される。
【００６４】
これにより、ボタンユニット１５のシート部１７とカバー部材１４の上面部分１４ａとの間に侵入した水や塵埃などを、強制的に貯水タンク３３内に排出できる。なお、このときには、出口３３ｂの逆止弁３７が閉じられている。
【００６５】
上記貯水タンク３３には、図１０に示すように、内部の水などを確認する確認部３３ｃが設けられている。この確認部３３ｃは、透明樹脂で形成されている。本例では、貯水タンク３３の一面に全体的に確認部３３ｃが設けられている。この確認部３３ｃは、下筐体１１の外側から確認できる位置に配置されている。
【００６６】
なお、この確認部３３ｃは、貯水タンク３３の一面の一部、又は全面に設けることもできる。また、確認部としては、透明窓に限らず、水量を検知するセンサーを使用することもできる。
【００６７】
このように、本発明の携帯電話機１は、押しボタン１６を保持するシート部１７に、押しボタン１６と対向し、且つ押しボタン１６の最大外周内の面積より広い拡大水路部２３を有する溝状の排水路２２を設けたので、カバー部材１４の上面部分１４ａと、シート部
１７との間に侵入した水４４や塵埃などが、排水路２２に集められる。
【００６８】
これにより、水４４や塵埃などがシート部１７上の広い範囲に分散するのを防止できる。また、水４４や異物などを排水路２２によって効率よく外部に排出できる。従って、水４４によって発生したカビや塵埃などによって、押しボタン１６のストロークが阻害されるのを防止できる。これにより、押しボタン１６の操作性が悪くなるのを防止できる。
【００６９】
なお、上記実施形態では  貯水タンク３３を下筐体１１の内側に設けたが、下筐体１１の外側に貯水タンク３３を設けることができる。この場合は、排水孔２９に蓋をしておき、排水時には蓋を開けて貯水タンク３３を排水孔２９に接続することができる。
【００７０】
また、排水路２２は、上記の如く、複数の押しボタン１６に対向する拡大水路部２３及びこれらの拡大水路部２３を接続する接続水路部２４を有している。そして、拡大水路部２３と接続水路部２４とを結ぶ経路が、一筆書きとなるように形成されている。
【００７１】
これにより、排水路２２の途中に行き止まりとなる部分がないので、排水路２２に集められた水４４や塵埃などが、排水路２２の途中に滞留することなく確実に外部に排出される。
【００７２】
なお、上記排水孔２９には、開閉自在な蓋を設けるのが好ましい。そして、排水孔２９から水４４などを排出する場合だけ蓋を開け、これ以外のときには蓋を閉じておく。これにより、排水孔２９を介して下筐体１１内に水や塵埃などが侵入するのを防止できる。
【００７３】
また、上記排水路２２には撥水処理が施されているので、排水路２２内の水などが撥水処理によって弾かれて、排水路２２内を流れやすくなる。従って、更に効率的に水４４などを外部に排出できる。
【００７４】
更に、下筐体１１内には、ボタンユニット１５のシート部１７における排水路２２の底壁部２２ｂ（図２（ａ）参照）に接触するバイブレータ２０が設けられている。
【００７５】
このバイブレータ２０によって排水路２２を振動させることにより、排水路２２内の水４４や塵埃などが更に流れやすくなる。従って、排水路２２内の水４４や塵埃などを更に効率的に排出できる。
【００７６】
なお、バイプレータ２０は、着信などを振動によって報知するためのバイブレータを使用できる。この場合は、着信などを報知するための振動の態様と、排水時の振動の態様とを代えるのが好ましい。
【００７７】
《第２実施形態》
図１２は、本発明に係る第２実施形態のシート部１７を示す。なお、ここでは排水路２２を線状にモデル化して示した。また、以下の説明では、第１実施形態と同様な部分には同一の符号を付けてその詳細な説明を省略した。
【００７８】
このシート部１７には、排水孔２９が複数設けられている。これらの排水孔２９は、ゴムパッキン２８で囲まれ範囲内における端部側（図１２中の下側））に適宜な間隔で設けられている。また、これらの排水孔２９は、全て、接続部４７を介して貯水タンク３３の一個の入口３３ａに接続されている。
【００７９】
排水路２２内の水や塵埃などは、排水孔２９からシート部１７上のゴムパッキン２８で囲まれた範囲に排出される。この排出された水や塵埃などは、複数の排水孔２９から貯水
タンク３３内に排出される。
【００８０】
《第３実施形態》
図１３は、本発明に係る第３実施形態のシート部１７を示す。このシート部１７は、複数の排水路２２が設けられている。これらの排水路２２は、すべての押しボタン１６のうち、一部の押しボタン１６に対向する複数の拡大水路部２３（図示せず）を有している。また、排水路２２は、その拡大水路部２３と接続水路部２４とを結ぶ経路が、一筆書きとなるように形成されている。
【００８１】
各排水路２２の一端には、水路出口２６が設けられている。また、シート部１７には、各水路出口２６に対応する排水孔２９が設けられている。上記貯水タンク３３には、複数の入口３３ａが設けられている。そして、複数の排水孔２９は、それぞれ貯水タンク３３の入口３３ａの何れかに接続されている。
【００８２】
また、貯水タンク３３の複数の入口３３ａには、図１４に示すように、それぞれ逆止弁３５が設けられている。
【００８３】
本発明では、複数の排水路２２が設けられているので、排水路２２が一個だけの場合に比べて、各排水路２２が短くなる。従って、各排水路２２内の水や塵埃などが比較的短時間で貯水タンク３３内に排出される。また、排水路２２内に水や塵埃などが滞留するのを防止できる。
【００８４】
《第４実施形態》
図１５は、本発明に係る第４実施形態の電子機器５０における基板５１及びボタンユニット１５を示す。この基板５１には、ＣＰＵ（中央演算処理装置）などの発熱部品５２が設けられている。この発熱部品５２の上には、ボタンユニット１５におけるシート部１７が配置されている。
【００８５】
図１６に示すように、発熱部品５２の上側に配置されたシート部１７には、第１実施形態の排水路２２と同様な排水路５３が設けられている。すなわち、この排水路５３は、シート部１７に凹溝状に形成されている。また、この排水路５３は、第１実施形態と同様に拡大水路部及び接続水路部を有している。排水路５３の底壁部５３ａは、発熱部品５２に当接している。
【００８６】
この電子機器５０は、発熱部品５２が排水路５３内を流れる水４４によって冷却される。従って、発熱部品５２を冷却するために特別な冷却部材を設ける必要がない。これにより、部品点数の低減及びコストダウンが可能になる。
【００８７】
《第５実施形態》
図１７は、本発明に係る第５実施形態の貯水タンク３３を示す。この貯水タンク３３は、発熱部品５２に当接して配置されている。
【００８８】
この第５実施形態では、貯水タンク３３に貯められる水４４によって発熱部品５２が冷却される。従って、部品点数削減及びコストダウンが可能になる。
【００８９】
また、本発明の筐体の棒排水構造、及び電子機器は、以下の付記的事項を含むものである。
【００９０】
〔その他〕
本発明は、以下のように特定することができる。
【００９１】
（付記１）表面に複数の押しボタンを有する筐体の防排水構造において、
前記表面を形成し、且つ複数のボタン孔が設けられたカバー部材と、
前記複数の押しボタン、及び前記複数の押しボタンを所定の位置に保持するシート部を有し、前記シート部が前記カバー部材の裏面に沿って配置されると共に、前記シート部の外周部が前記カバー部材に密着され、前記押しボタンが前記カバー部材の前記ボタン孔に挿入されたボタンユニットとを備え、
前記シート部には、前記複数の押しボタンのそれぞれに対向し、且つ前記押しボタンの最大外周より広い水路部を有する溝状の排水路が設けられていることを特徴とする筐体の防排水構造（１）。
【００９２】
（付記２）前記排水路は、前記複数の押しボタンにそれぞれ対向し、且つ前記押しボタンの最大外周より広い拡大水路部と、これらの拡大水路部を接続する接続水路部とを有し、前記拡大水路部と前記接続水路部とが一筆書きとなるように形成されていることを特徴とする付記１に記載の筐体の防排水構造（２）。
【００９３】
（付記３）前記溝状の排水路は、前記シート部上に突出する突起によって形成されていることを特徴とする付記１又は２に記載の筐体の防排水構造（３）。
【００９４】
（付記４）前記シート部には、前記排水路から出た水を排出する排水孔が設けられ、前記排水孔には開閉自在な蓋が設けられていることを特徴とする付記１から３の何れかに記載の筐体の防排水構造（４）。
【００９５】
（付記５）前記排水路には、撥水処理が施されていることを特徴とする付記１から４の何れかに記載の筐体の防排水構造（５）。
【００９６】
（付記６）前記排水路を振動させる振動手段を有することを特徴とする付記１から５の何れかに記載の筐体の防排水構造（６）。
【００９７】
（付記７）前記排水孔に接続されたタンクを有していることを特徴とする付記１から６の何れかに記載の筐体の防排水構造（７）。
【００９８】
（付記８）前記排水孔が複数設けられ、前記複数の排水孔がそれぞれ前記タンクに接続されていることを特徴とする付記７に記載の筐体の防排水構造（８）。
【００９９】
（付記９）前記排水路が複数に分けて設けられ、前記複数の排水路における前記拡大水路部と前記接続水路部とを結ぶ経路がそれぞれ一筆書きとなるように形成されると共に、前記複数の排水路がそれぞれ前記タンクに接続されていることを特徴とする付記７又は８に記載の筐体の防排水構造。
【０１００】
（付記１０）前記タンクが弾性を有していることを特徴とする付記７から９の何れかに記載の筐体の防排水構造。
【０１０１】
（付記１１）前記タンクは、前記排水孔に接続される複数の接続口と、前記タンク内の空気を外部に排出する排気口とを有し、
前記複数の接続口及び前記排気口には、それぞれ逆止弁が設けられていることを特徴とする付記７から１０の何れかに記載の筐体の防排水構造。
【０１０２】
（付記１２）前記タンクの押圧時には、前記排気口の前記逆止弁が開かれると共に、前記接続口の前記逆止弁が閉じられて、前記タンク内の空気が前記排気口から外部に排気さ
れ、
前記タンクの非押圧時には、前記接続口の前記逆止弁が開かれると共に、前記排気口の前記逆止弁が閉じられて、前記排水路内の水が前記タンク内に吸引されることを特徴とする付記１０又は１１に記載の筐体の防排水構造。
【０１０３】
（付記１３）前記タンクは前記複数の排水孔にそれぞれ接続される複数の接続口を有し、前記複数の接続口にそれぞれ前記逆止弁が設けられていることを特徴とする付記８から１２の何れかに記載の筐体の防排水構造。
【０１０４】
（付記１４）前記タンクは、内部を確認する確認部を有することを特徴とする付記７から１３の何れかに記載の筐体の防排水構造。
【０１０５】
（付記１５）前記排気口には、水を通さず空気を通すフィルタが設けられていることを特徴とする付記１１から１４の何れかに記載の筐体の防排水構造。
【０１０６】
（付記１６）表面に複数の押しボタンが設けられた筐体を有する電子機器において、
前記筐体は、前記表面を形成し、且つ複数のボタン孔が設けられたカバー部材と、
前記複数の押しボタン、及び前記複数の押しボタンを所定の位置に保持するシート部を有し、前記シート部が前記カバー部材の裏面に沿って配置されると共に、前記シート部の外周部が前記カバー部材に密着され、前記押しボタンが前記カバー部材の前記ボタン孔に挿入されるボタンユニットとを備え、
前記シート部には、前記複数の押しボタンにそれぞれ対向し、且つ前記押しボタンの最大外周内の面積より広い水路部を有する溝状の排水路が設けられていることを特徴とする電子機器（８）。
【０１０７】
（付記１７）前記筐体内に設けられた発熱部材を有し、前記排水路の壁部分が前記発熱部材に当接していることを特徴とする電子機器（９）。
【０１０８】
（付記１８）前記筐体内に設けられた発熱部材と、前記排水路から排出された水を貯めるタンクとを有し、前記タンクが前記発熱部材に当接していることを特徴とする電子機器（１０）。
【図面の簡単な説明】
【０１０９】
【図１】本発明に係る第１実施形態の携帯電話機を示す図である。
【図２】図２（ａ）は本発明に係る第１実施形態の押しボタン、シート部、排水路を示す図であり、図１のＡ−Ａ断面図、図２（ｂ）は排水路に施された撥水処理及びバイブレータを示す断面図である。
【図３】本発明に係る第１実施形態のボタンユニットを示す斜視図である。
【図４】本発明に係る第１実施形態のシート部及び排水路を示す斜視図である。
【図５】本発明に係る第１実施形態の排水路の一部分を示す斜視図である。
【図６】本発明に係る第１実施形態の排水路が一筆書きとなるように形成されていることを説明する図である。
【図７】本発明に係る第１実施形態のボタンユニットを示す平面図である。
【図８】本発明に係る第１実施形態の下筐体における下端部及び排水孔を示す図である。
【図９】本発明に係る第１実施形態の排水孔を示す図であり、図８のＢ−Ｂ断面図である。
【図１０】本発明に係る第１実施形態の貯水タンクを示す断面図である。
【図１１】本発明に係る第１実施形態の貯水タンクに水が貯められる状態を示す共振器及び超音波接合ヘッドを示す斜視図である。
【図１２】本発明に係る第２実施形態の支持部及び開口を示す図である。
【図１３】本発明に係る第３実施形態の排水路、排水孔及び貯水タンクを示す図である。
【図１４】本発明に係る第４実施形態の貯水タンクを示す断面図である。
【図１５】本発明に係る第５実施形態の電子機器における発熱部及びボタンユニットを示す斜視図である。
【図１６】本発明に係る第５実施形態の発熱部品及び排水路を示す図であり、図１５のＣ−Ｃ断面図である。
【図１７】本発明に係る第６実施形態の発熱部品及び排水路を示す断面図である。
【符号の説明】
【０１１０】
１  携帯電話機
１１  下筐体
１２  上筐体
１３  ヒンジ
１４  カバー部材
１４ａ  上面部分
１４ｂ  裏面
１４ｃ  ボタン孔
１５  ボタンユニット
１６  押しボタン
１６ａ  外周縁
１７  シート部
１７ａ  短辺
１７ｂ  下端縁
１７ｃ  外周縁
２０  バイブレータ
２１  突起
２２  排水路
２２ａ  排水路の庭壁部
２３  拡大水路部
２４  接続水路部
２５  突起
２６  水路出口
２８  ゴムパッキン
２８ａ  絞られた部分
２９  排水孔
３０  接続部
３１  下筐体の底面
３２  バッテリカバー
３３  貯水タンク
３３ａ  入口
３３ｂ  出口
３３ｃ  確認部
３５  逆止弁
３６  防水シート
３７  逆止弁
４０  基板
４１  回路
４２  ドーム状の金属シート
４３  支持部
４４  水
４５  空気
５０  電子機器
５１  基板
５２  発熱部品
５３  排水路
５３ａ  底壁部
【図１】
2007066746.tif 000003
【図２】
2007066746.tif 000004
【図３】
2007066746.tif 000005
【図４】
2007066746.tif 000006
【図５】
2007066746.tif 000007
【図６】
2007066746.tif 000008
【図７】
2007066746.tif 000009
【図８】
2007066746.tif 000010
【図９】
2007066746.tif 000011
【図１０】
2007066746.tif 000012
【図１１】
2007066746.tif 000013
【図１２】
2007066746.tif 000014
【図１３】
2007066746.tif 000015
【図１４】
2007066746.tif 000016
【図１５】
2007066746.tif 000017
【図１６】
2007066746.tif 000018
【図１７】
2007066746.tif 000019